(57)【要約】【課題】本発明は、従来よりも比較的消費電力を削減することができる充電装置を提供することを目的とする。【解決手段】上記課題を解決するために、本発明にかかる充電装置は、電源から電力の供給を受ける供給部と、供給部が供給を受け付けた電力を外部機器のバッテリに充電可能な充電モジュールと、充電モジュールによる充電の開始を検出するサブマイコンと、動作時にサブマイコンよりも大きな電力を消費するメインマイコンと、を備え、サブマイコンは、メインマイコンが動作を停止している際に、充電モジュールによる充電の開始を検出するのに応じて、メインマイコンを起動する。【選択図】図１
2013150443.tif 000002
【特許請求の範囲】
【請求項１】
電源から電力の供給を受ける供給部と、
前記供給部が供給を受け付けた電力を外部機器のバッテリに充電可能な充電モジュールと、
前記充電モジュールによる充電の開始を検出するサブマイコンと、
動作時に前記サブマイコンよりも大きな電力を消費するメインマイコンと、を備え、
前記サブマイコンは、前記メインマイコンが動作を停止している際に、前記充電モジュールによる充電の開始を検出するのに応じて、前記メインマイコンを起動する、
充電装置。
【発明の詳細な説明】
【技術分野】
【０００１】
本発明は充電装置に関し、特に、外部機器のバッテリに非接触充電可能な充電装置に関する。
【背景技術】
【０００２】
特許文献１は、無接点充電装置を開示する。この無接点充電装置は、平面コイルを用いて携帯電話端末に対して無接点にて充電用電力を伝送する。この無接点充電装置は、携帯電話端末への電力を伝送するのに先立ち、平面コイルを通じて、充電用電力伝送の許可認証と携帯電話端末へのデータ配信の許可認証のための認証用の情報信号とを用いて携帯電話端末の認証を行い、認証ができた時には、予め用意した充電引換配信データを携帯電話端末へ送信した後、その携帯電話端末への充電電力の伝送を行う。
【０００３】
これにより、この無接点充電装置は、携帯電話端末へ充電用電力を供給する際に、複雑な電気料金の計算や設備を要せず且つ電力供給による不利益を被ることなく、携帯電話端末へ充電電力を供給することができる。
【先行技術文献】
【特許文献】
【０００４】
【特許文献１】特開２００８−２９５１９１号公報
【発明の概要】
【発明が解決しようとする課題】
【０００５】
ところで、上記特許文献１に開示されている無接点充電装置において、ＣＰＵは、送電回路等の動作を監視するため常時起動している。従って、上記特許文献１に開示されている無接点充電装置は、非常に多くの電力を消費することとなる。
【０００６】
本発明は、従来よりも比較的消費電力を削減することができる充電装置を提供することを目的とする。
【課題を解決するための手段】
【０００７】
上記課題を解決するために、本発明にかかる充電装置は、電源から電力の供給を受ける供給部と、供給部が供給を受け付けた電力を外部機器のバッテリに充電可能な充電モジュールと、充電モジュールによる充電の開始を検出するサブマイコンと、動作時にサブマイコンよりも大きな電力を消費するメインマイコンと、を備え、サブマイコンは、メインマイコンが動作を停止している際に、充電モジュールによる充電の開始を検出するのに応じて、メインマイコンを起動する。
【発明の効果】
【０００８】
本発明によれば、従来よりも比較的消費電力を削減することができる充電装置を提供できる。
【図面の簡単な説明】
【０００９】
【図１】実施の形態１にかかるレコーダ１００の外観模式図
【図２】実施の形態１にかかる電気的構成を示すブロック図
【図３】非接触充電時の動作を説明するためのフローチャート
【図４】非接触充電時の動作を説明するためのフローチャート
【発明を実施するための形態】
【００１０】
本発明をレコーダに適用した実施の形態について図面を参照しながら説明する。
【００１１】
１．実施の形態１
１−１．概要
本実施の形態にかかるレコーダ１００は、携帯端末が有するバッテリに対して非接触充電できる。非接触充電とは、充電装置の端子と被充電装置の端子とを物理的に直接接続することなく、充電装置が被充電装置のバッテリに対して充電を行うことをいう。レコーダ１００は、非接触充電モジュール１９０に携帯端末が置かれると、携帯端末が置かれたことを検出し、携帯端末のバッテリに対する充電を開始する。
【００１２】
レコーダ１００は、このような非接触充電を行うシステムにおいて、比較的消費電力を抑えることができる充電装置である。比較的消費電力を抑えるための仕組みについて以下詳細に説明する。
【００１３】
１−２．電気的構成
レコーダ１００及びスマートフォン２００の電気的構成について図２を用いて説明する。図２は、レコーダ１００及びスマートフォン２００の電気的構成を示すブロック図である。レコーダ１００は、チューナ１１０を介して受信した放送に基づいて番組データを生成し、生成した番組データをＨＤＤ１４０に記録する。レコーダ１００は、ＨＤＤ１４０に記憶されている番組データに対してメインマイコン１３０で各種処理を施し、ＨＤＭＩ１５０を介して外部のテレビに出力したり、無線ＬＡＮモジュール１２０を介して外部のスマートフォン２００に出力したりする。また、レコーダ１００は、電源供給部１９５から給電を受け付けた電力を非接触充電モジュール１９０を介して外部のスマートフォン２００のバッテリ２７０に給電したりする。以下、レコーダ１００及びスマートフォン２００の各構成について詳細に説明する。
【００１４】
チューナ１１０は、アンテナを介して受信した電波のうち、使用者が選局しているチャンネルの電波を抽出する。チューナ１１０は、抽出した電波に基づいて、メインマイコン１３０が処理可能なデジタルデータを生成する。
【００１５】
無線ＬＡＮモジュール１２０は、無線ＬＡＮ通信可能な通信モジュールである。無線ＬＡＮモジュール１２０は、無線ＬＡＮ通信の国際標準規格である「ＩＥＥＥ８０２．１１」規格に準拠している。無線ＬＡＮモジュール１２０は、アクセスポイントを介して宅内機器等とＩＰ（Ｉｎｔｅｒｎｅｔ  Ｐｒｏｔｏｃｏｌ）により通信できる。
【００１６】
メインマイコン１３０は、レコーダ１００全体を制御する制御モジュールである。本実施形態において、メインマイコン１３０は、ＳＯＣ（Ｓｙｓｔｅｍ  Ｏｎ  Ｃｈｉｐ）で構成される。従って、メインマイコン１３０は、ＣＰＵ、メモリ、データ信号処理回路を一体として構成される。メインマイコン１３０は、高性能な半導体で構成されており処理性能が高い。一方、メインマイコン１３０は、高い消費電力を要する。そのため、レコーダ１００は、テレビ放送録画、ネットワーク通信等の主機能を利用する場合を除きメインマイコン１３０への電力供給を停止している。
【００１７】
ＨＤＤ１４０は、動画像データ等を記憶する記憶装置である。ＨＤＤ１４０は、アンテナを介して受信した放送番組を示す動画像データや、無線ＬＡＮモジュール１２０を介して外部機器から受信した画像データ等のデータを記憶する。
【００１８】
ＨＤＭＩ１５０は、レコーダ１００とテレビ等の外部機器とを接続するインターフェースである。レコーダ１００は、ＨＤＭＩ１５０を介してＨＤＤ１４０に記憶されている動画像データが示す動画像等を外部機器に対して出力できる。
【００１９】
サブマイコン１６０は、メインマイコン１３０とは異なり電源供給部１９５がコンセントに接続されている場合に常時動作しているマイコンである。サブマイコン１６０は、メインマイコン１３０と比較して処理能力が低い分、消費電力も低い。サブマイコン１６０は、非接触充電モジュール１９０による外部機器への充電が開始された場合にメインマイコン１３０に電源供給を開始するようレギュレータ１３２を制御し、起動指示を発行する。
【００２０】
ファン１７０は、内部の羽を回転することで風を起こし、レコーダ１００内部の温度を低下させる部材である。
【００２１】
ＬＥＤ１８０は、発光することでレコーダ１００の動作状態等を通知する発光素子である。例えば、ＬＥＤ１８０は、点灯することでレコーダ１００が非接触充電中であることを使用者に通知する一方、点滅することでレコーダ１００が充電異常状態であることを使用者に通知したりすることができる。
【００２２】
電源供給部１９５は、家庭用商用電源のコンセントから電力供給を受け付ける。非接触充電モジュール１９０は、電源供給部１９５から電力供給を受け付ける。非接触充電モジュール１９０は、電磁誘導方式により非接触被充電モジュール２２０に電力供給を行う充電モジュールである。非接触充電モジュール１９０は、被充電機器が非接触充電モジュール１９０に近接したことを検出できる。非接触充電モジュール１９０は、被充電機器の近接を検出するのに応じて、被充電機器への充電を開始する。また、非接触充電モジュール１９０は、被充電機器への充電を開始すると、その旨を示す充電開始信号をサブマイコン１６０に送信する。なお、非接触充電モジュール１９０は、ワイヤレス給電の国際標準規格である「Ｑｉ」規格に準拠している。
【００２３】
フラッシュメモリ１３１は、書き換え可能な不揮発性の半導体メモリである。フラッシュメモリ１３１は、レコーダ１００の動作に必要となるＯＳ（Ｏｐｅｒａｔｉｎｇ  Ｓｙｓｔｅｍ）や各種制御プログラム等を記憶している。メインマイコン１３０は、起動時にフラッシュメモリ１３１に記憶されているＯＳ等を読み出す。メインマイコン１３０は、読み出したＯＳ等をメインマイコン１３０内部のメモリに展開し、メインマイコン１３０内部のＣＰＵで実行する。また、フラッシュメモリ１３１は、レコーダ１００が現在設定されているモードの情報などについても記憶する。例えば、フラッシュメモリ１３１は、レコーダ１００が非接触充電ＯＮモードに設定されているか否かに関する情報を記憶する。
【００２４】
レギュレータ１３２及びレギュレータ１３３は、入力電力から一定の出力電力を得る電気回路である。レギュレータ１３２及びレギュレータ１３３は、サブマイコン１６０からの制御により出力電力を０（ＯＦＦ）にしたり一定値（ＯＮ）にしたりすることができる。
【００２５】
電流／電圧変換回路１３４は、電源供給部１９５を介して供給を受けた電流を電圧に変換する回路である。サブマイコン１６０は、電流／電圧変換回路１３４から検出した電圧値を監視することで過電流が発生していないかを監視できる。
【００２６】
無線ＬＡＮモジュール２１０は、無線ＬＡＮモジュール１２０と通信可能な通信モジュールである。非接触被充電モジュール２２０は、非接触充電モジュール１９０から供給される電力を受信できる非充電モジュールである。３Ｇ回線モジュール２３０は、携帯電話基地局と通信を行う通信モジュールである。マイコン２４０は、スマートフォン２００全体を制御するコントローラである。フラッシュメモリ２５０は、スマートフォン２００の制御プログラム等を記憶する記憶媒体である。カメラ２６０は、内部に光学系、ＣＭＯＳイメージセンサを含む撮像部である。バッテリ２７０は、スマートフォン２００内の各モジュールに供給する電源である。本実施形態において、バッテリ２７０はリチウムイオン電池で構成される。バッテリ２７０は、非接触被充電モジュール２２０を介して非接触充電モジュール１９０から供給を受け付けた電力を蓄えられる。
【００２７】
１−３．非接触充電動作
本実施の形態にかかるレコーダ１００における非接触充電動作について図３、４を用いて説明する。図３、４は、レコーダ１００による非接触充電動作を説明するためのフローチャートである。使用者は、不図示の操作部を操作することで、レコーダ１００を非接触充電ＯＮモードに設定できる。非接触充電ＯＮモードに設定されると、レギュレータ１３３は、電源供給部１９５から供給を受ける電力を常時非接触充電モジュール１９０に供給する。この状態が非接触充電ＯＮモードである（Ｓ１００）。
【００２８】
非接触充電ＯＮモードに設定されると、非接触充電モジュール１９０は、スマートフォン２００が置かれたか否かを判断する（Ｓ１１０）。
【００２９】
非接触充電モジュール１９０にスマートフォン２００が置かれたと判断すると、非接触充電モジュール１９０は、スマートフォン２００への給電を開始するか否かを判断する（Ｓ１２０）。給電を開始すると判断すると、非接触充電モジュール１９０は、サブマイコン１６０に対して、スマートフォン２００への給電を開始した旨を通知する（Ｓ１３０）。スマートフォン２００への給電を開始した旨の通知を受けると、サブマイコン１６０は、点灯を開始するようＬＥＤ１８０を制御する（Ｓ１４０）。その後、サブマイコン１６０は、メインマイコン１３０への給電を開始するようレギュレータ１３２を制御する（Ｓ１５０）。
【００３０】
レギュレータ１３２からの給電を受けると、メインマイコン１３０は、無線ＬＡＮモジュール１２０、ＨＤＤ１４０等の他のモジュールに対しての給電を開始する（Ｓ１６０）。その後、メインマイコン１３０は、無線ＬＡＮモジュール１２０を介して、外部機器から画像データ等のデータを受信したかを判断する（Ｓ１７０）。
【００３１】
外部機器からデータを受信したと判断すると、メインマイコン１３０は、受信したデータをＨＤＤ１４０に記録する（Ｓ１８０）。ＨＤＤ１４０へのデータの記録を開始すると、メインマイコン１３０は、受信した全てのデータをＨＤＤ１４０に記録したか否かを判断し、全てのデータのＨＤＤ１４０への記録が完了するまでＨＤＤ１４０へのデータの記録を継続する（Ｓ１９０）。
【００３２】
受信した全てのデータのＨＤＤ１４０への記録が完了すると、メインマイコン１３０は、ＨＤＤ１４０へ記録した画像データの自動的な編集処理を開始する（Ｓ２００）。ここで、自動的な編集処理とは、複数の画像データからスライドショーを作成する処理や画像データを加工することで作品化する処理等である。
【００３３】
画像データの自動的な編集処理を開始すると、メインマイコン１３０は、この自動的な処理が完了するまで編集処理を継続する（Ｓ２１０）。編集処理が完了すると、メインマイコン１３０は、無線ＬＡＮモジュール１２０を介して編集後のデータをスマートフォン２００に対して送信する（Ｓ２２０）。
【００３４】
編集後のデータをスマートフォン２００に対して送信すると、メインマイコン１３０は、スマートフォン２００内のバッテリ２７０への充電が完了したか否かを判断する（Ｓ２３０）。メインマイコン１３０は、バッテリ２７０への充電が完了するまで、バッテリ２７０への給電を継続するため待機する。
【００３５】
一方、ステップＳ１７０において画像データ等のデータを受信していないと判断した場合も、メインマイコン１３０は、スマートフォン２００内のバッテリ２７０への充電が完了したか否かを判断する（Ｓ２３０）。この場合も、メインマイコン１３０は、バッテリ２７０への充電が完了するまで、バッテリ２７０への給電を継続するため待機する。
【００３６】
バッテリ２７０への充電が完了すると、サブマイコン１６０は、メインマイコン１３０に対してバッテリ２７０への充電が完了した旨の信号を通知する。この信号を受信すると、メインマイコン１３０は、無線ＬＡＮモジュール１２０、ＨＤＤ１４０等の各モジュールへの給電を停止する（Ｓ２５０）。各モジュールへの給電の停止が完了すると、メインマイコン１３０は、メインマイコン１３０自身への給電を停止するようサブマイコン１６０に通知する（Ｓ２６０）。サブマイコン１６０から給電が停止されることで、メインマイコン１３０は電源ＯＦＦ状態となる（Ｓ２７０）。
【００３７】
このように、本実施の形態にかかるレコーダ１００は、メインマイコン１３０が動作を停止している際に、非接触充電モジュール１９０によるスマートフォン２００への充電の開始を検出するのに応じて、メインマイコン１３０を起動することとした。これにより、レコーダ１００は、バッテリ２７０への充電開始をトリガとしてメインマイコン１３０を起動するので、スマートフォン２００からのデータの受信等が可能となる。また、レコーダ１００は常時メインマイコン１３０を起動しているわけではないので、消費電力を低減できる。
【産業上の利用可能性】
【００３８】
本発明はレコーダ、プレーヤ、充電器等の充電装置に適用できる。
【符号の説明】
【００３９】
１００    レコーダ
１１０    チューナ
１２０    無線ＬＡＮモジュール
１３０    メインマイコン
１４０    ＨＤＤ
１５０    ＨＤＭＩ
１６０    サブマイコン
１７０    ファン
１８０    ＬＥＤ
１９０    非接触充電モジュール
１３１    フラッシュメモリ
１３２    レギュレータ
１３３    レギュレータ
１３４    電流／電圧変換回路
２００    スマートフォン
２１０    無線ＬＡＮモジュール
２２０    非接触被充電モジュール
２３０    ３Ｇ回線モジュール
２４０    マイコン
２５０    フラッシュメモリ
２６０    カメラ
２７０    バッテリ
【図１】
2013150443.tif 000003
【図２】
2013150443.tif 000004
【図３】
2013150443.tif 000005
【図４】
2013150443.tif 000006